(57)【要約】  【課題】  悪臭の漏出及び小蝿等の害虫の誘引を防止し衛生性に優れると共に維持管理及び移設が容易で且つ家庭の庭等に設置しても景観を損なうことがなく、また、庭木の根元等にも簡単に設置し給肥できるコンポスト生成容器を提供することを目的とする。  【解決手段】  本発明のコンポスト生成容器１は、下部開口部３と上部投入部４とを有する筒状本体２と、上部開口部４に着脱自在に覆設された蓋体１０と、を備えたコンポスト生成容器１であって、蓋体１０が、上面部１１と、筒状の周面部１２と、周面部１２の下端部に配設された土切り部１３と、を備えた構成を有している。【選択図】  図１
2006206348.tif 000002
【特許請求の範囲】
【請求項１】
下部開口部と上部投入部とを有する筒状本体と、前記上部開口部に着脱自在に覆設された蓋体と、を備えたコンポスト生成容器であって、前記蓋体が、上面部と、筒状の周面部と、前記周面部の下端部に配設された土切り部と、を備えていることを特徴とするコンポスト生成容器。
【請求項２】
前記筒状本体の周壁部に形成され、前記蓋体を前記筒状本体に覆設したときに前記周面部の下端部に一致する地表位置合わせ線を備えていることを特徴とする請求項１に記載のコンポスト生成容器。
【請求項３】
前記蓋体の前記周面部の高さが、前記筒状本体の前記地表位置合わせ線から上端部までの高さと同一又はそれ以上の高さに形成されていることを特徴とする請求項２に記載のコンポスト生成容器。
【請求項４】
前記筒状本体及び／又は前記蓋体が下方に向けて拡開した形状に形成されていることを特徴とする請求項１乃至３の内いずれか１項に記載のコンポスト生成容器。
【請求項５】
前記筒状本体の周壁部の土への埋設部に形成された１乃至複数のコンポスト流通孔を備えていることを特徴とする請求項１乃至４の内いずれか１項に記載のコンポスト生成容器。
【請求項６】
前記筒状本体の前記下部開口部に覆設された底板部を備えていることを特徴とする請求項５に記載のコンポスト生成容器。
【発明の詳細な説明】
【技術分野】
【０００１】
本発明は、生ごみ、食物等の残渣、落ち葉等を微生物による分解によってコンポスト化するためのコンポスト生成容器に関するものである。
【背景技術】
【０００２】
近年、家庭の台所等で発生する生ごみや食物等の残渣、或いは庭でかき集めた落ち葉等を原料物とし、これらを微生物の働きにより分解してコンポスト（堆肥）を生成し、庭木の根元や花壇、家庭菜園等に撒く等して給肥することが行われており、化学肥料を用いないこと及び家庭ごみの減量化が図れることから、環境保護の一環として普及している。このような家庭における生ごみ等のコンポスト化には、通常、コンポスト生成容器が用いられている。
従来のコンポスト生成容器としては、特許文献１に「縁部が地面に対接する下部開口及び生ごみを投入する上部投入口を設けた筒状本体と、上部投入口を気密性をもって覆う蓋体とを備えた屋外設置用生ごみ処理容器」が開示されている。なお、特許文献１の屋外設置用生ごみ処理容器は、上部投入口の縁部内周面に円環状の内周突起が一体形成され、この内周突起にゴム製の断面Ｕ字状シールリングが嵌着されると共に、蓋体の下面に前記内周突起の内径よりも若干小さい外径の環状突起が一体形成されており、これにより、上部投入口を蓋体により気密性をもって封止している。
【０００３】
また、他のコンポスト生成容器としては、特許文献２乃至５に開示されたものがある。
特許文献２には「下端を開口し上面にごみ投入口を設けた筒状の容器本体と、容器本体の上面に着脱自在に被着された外蓋と、ごみ投入口に設けられ、蓋とごみ受けを兼用する中蓋体と、を備えたコンポスト用容器」が開示されている。
特許文献３には「空気の取込口と大窓とを有する下枠と、下枠上に嵌合された筒体と、筒体上部に取り付けられる蓋と、を備え、筒体又は蓋のいずれかに通気窓を有するコンポスト容器」が開示されている。
【０００４】
特許文献４には「土壌の上に設置される円筒状に形成した容器本体と、容器本体の上部の投入口を覆う蓋体と、を備え、厨芥を容器本体内で土壌によって堆肥化させる厨芥処理容器において、容器本体に蓄熱剤を配置した厨芥処理容器」が開示されている。
特許文献５には「庭石のような地肌と外観を有し、底部と頂部が開口し内部に生ごみを収容して地面に置かれる本体と、本体の頂部の開口に着脱自在に載置される蓋と、を有する生ごみ処理容器」が開示されている。
【０００５】
【特許文献１】特開平１１−１５１４７８号公報
【特許文献２】特開平９−７７５７９号公報
【特許文献３】特開平５−１７８６８２号公報
【特許文献４】特開平５−３３０９６７号公報
【特許文献５】特開平７−５３２８８号公報
【発明の開示】
【発明が解決しようとする課題】
【０００６】
しかしながら、上記従来の技術では以下のような課題を有していた。
（１）特許文献１の屋外設置用生ごみ処理容器では、蓋体の繰り返し使用によりシールリングが変形したり風雨に曝されて変質したり、又は、蓋体や筒状本体自体が変形したり、或いは、蓋体が傾いた状態で取り付けられたりして、蓋体と上部投入口との間に隙間が生じ易く気密性が確実でないため、投入した生ごみ等の悪臭に小蝿や水虻等の害虫が誘引され容器の周囲に群がるため不衛生であると共に、誘引された害虫が蓋体と上部投入口の隙間のシールリング等に卵を産みつけ、卵から孵化した蛆等が容器内に侵入し、容器内で成虫となって大量発生するという課題を有していた。
（２）特許文献２乃至５に開示された容器では、容器自体が大きいので容器を埋め込む場合は設置場所に大きい穴を掘る必要があり、設置作業が大掛かりになり簡易性に欠けると共に容器内がコンポストで満たされた場合等の容器の移設が煩雑であり、また、設置場所を広く取り家庭の庭等に設置すると景観を損なったり子供の遊ぶスペースが狭くなったりするため家庭には受け入れられ難いという課題を有していた。
（３）特許文献２のコンポスト用容器では、容器本体の上面の周縁部に周方向にロック用溝を設け、外蓋にロック用溝に嵌入するロック用突起を設け、外蓋を容器本体に被着しているが、気密性が確実でなく、さらに長期使用等により容器本体や外蓋が変形したり、使用者の不注意により外蓋が確実にロックされないまま取り付けられたりして隙間が生じ、特許文献１と同様の課題を有していた。
（４）特許文献３乃至５に開示された容器では、容器本体のごみ等の投入口に蓋を載置しているだけなので、気密性が確実でなく特許文献１と同様の課題を有していた。
（５）特許文献１乃至５に開示された容器では、悪臭や衛生的な問題及び設置スペースの問題があるため家庭の庭等には設置し難く家庭にはあまり受け入れられておらず、また、受け入れられた場合であっても悪臭や害虫の発生を防止するために定期的に石灰や防虫剤を投入する必要があり維持管理が煩雑であるという課題を有していた。
【０００７】
本発明は、上記従来の課題を解決するもので、悪臭の漏出及び小蝿等の害虫の誘引を防止し衛生性に優れると共に維持管理及び移設が容易で且つ家庭の庭等に設置しても景観を損なうことがなく、また、庭木の根元等にも簡単に設置し給肥できるコンポスト生成容器を提供することを目的とする。
【課題を解決するための手段】
【０００８】
上記課題を解決するために本発明のコンポスト生成容器は、以下の構成を有している。
本発明の請求項１に記載のコンポスト生成容器は、下部開口部と上部投入部とを有する筒状本体と、前記上部開口部に着脱自在に覆設された蓋体と、を備えたコンポスト生成容器であって、前記蓋体が、上面部と、筒状の周面部と、前記周面部の下端部に配設された土切り部と、を備えた構成を有している。
【０００９】
この構成により、以下のような作用を有する。
（１）地面等に掘った穴に筒状本体の下部側を埋設し、上部投入部から筒状本体の内部に生ごみや食物等の残渣等を投入した後、蓋体を筒状本体の上部に覆設し、土切り部を地表面に突き刺すことにより、筒状本体の内部は外気と遮断されるため、投入した生ごみ等から発生する悪臭の漏出を確実に防止でき、周囲の人が腐食臭等によって不快な気分になることを防止できると共に小蝿や水虻等の害虫の誘引を防止できる。
【００１０】
ここで、筒状本体としては、断面形状が円形状、楕円形状、多角形状等の筒体が用いられる。蓋体は上面部と周面部とを有する円柱状や円錐台状、略釣鐘状等に形成される。なお、蓋体は、上面部と周面部とを滑らかに連結して丸みを帯びた形状としてもよく、上面部を半球面状や置物様に形成してもよい。これにより、外観を向上でき、家庭の庭や室内のプランタ等の栽培容器等に設置し易くなる。また、蓋体の上面部又は周面部には蓋体の取り付け取り外しのための把手部や置物状の取手を設けることが好ましい。把持部等を例えば半球状の上面部と一体となるような湾曲状に形成すれば外観を更に向上できる。筒状本体及び蓋体の材質としては、ポリプロピレンやポリエチレン等の合成樹脂が用いられる。ポリエチレンテレフタレート等のリサイクル材を用いることもできる。
また、筒状本体は家庭の庭や栽培容器の内部等に設置できるように容量が１Ｌ〜３０Ｌ程度の小型に形成されることが好ましい。これにより、筒状本体を土に埋め込むために掘る穴は小さいものでよく、女性や子供等の非力な者でもスコップ等を用いて簡単に掘ることができ設置作業が容易であると共に、内部がコンポストで満たされた場合等の移設も容易にできる。
土切り部としては、鉄、ステンレス、アルミニウム等の金属や上記合成樹脂等からなる帯状部材を蓋体の下端部の内周面又は外周面に沿って螺着やビス止め、接着、融着等により固定したもの、或いは蓋体と一体形成されたもの等が用いられる。なお、土切り部の下縁部は鋸刃状や波状、薄肉直線状等に形成することができる。これにより、乾いた地面や硬い地面にも容易に突き刺し、密閉性を高めると共に、蓋体を取る際に蓋体を緩く回転させるだけで周面部に強固にまとわりついた地面の土を切ることができ、容易に蓋体を取り外すことができる。
【００１１】
本発明の請求項２に記載の発明は、請求項１に記載のコンポスト生成容器であって、前記筒状本体の周壁部に形成され、前記蓋体を前記筒状本体に覆設したときに前記周面部の下端部に一致する地表位置合わせ線を備えた構成を有している。
【００１２】
この構成により、請求項１の作用に加え、以下のような作用を有する。
（１）コンポスト生成容器の設置時において、筒状本体の下部側を地面等に埋設する際、作業者は地表位置合わせ線が地表面に一致するように筒状本体の位置を調整することで筒状本体の地上露出部の高さを常に一定にすることができ、設置作業を円滑に行うことができる。
【００１３】
ここで、地表位置合わせ線としては塗料を用いて描画したものや凸条、凹条等が用いられる。また、筒状本体の下部側を土に埋設したときの埋設部又は地上露出部の表面を塗装し塗装面の境界線を地表位置合わせ線としてもよい。
【００１４】
本発明の請求項３に記載の発明は、請求項２に記載のコンポスト生成容器であって、前記蓋体の前記周面部の高さが、前記筒状本体の前記地表位置合わせ線から上端部までの高さと同一又はそれ以上の高さに形成された構成を有している。
【００１５】
この構成により、請求項１の作用に加え、以下のような作用を有する。
（１）蓋体の周面部の高さが筒状本体の地表位置合わせ線から上端部までの高さ、すなわち地上露出部の高さと同一又はそれ以上の高さに形成されているので、土切り部を確実に地表面に突き刺すことができる。
【００１６】
本発明の請求項４に記載の発明は、請求項１乃至３の内いずれか１項に記載のコンポスト生成容器であって、前記筒状本体及び／又は前記蓋体が下方に向けて拡開した形状に形成された構成を有している。
【００１７】
この構成により、請求項１乃至３の内いずれか１項の作用に加え、以下のような作用を有する。
（１）筒状本体及び／又は蓋体が下方に向けて拡開した形状に形成されているので、地面等に設置した場合の安定性に優れると共に、蓋体の下端部の開口の内径を筒状本体の上端部の外径より十分大きくすれば蓋体を筒状本体に装着し易くなり取り扱い性に優れる。
【００１８】
本発明の請求項５に記載の発明は、請求項１乃至４の内いずれか１項に記載のコンポスト生成容器であって、前記筒状本体の周壁部の土への埋設部に形成された１乃至複数のコンポスト流通孔を備えた構成を有している。
【００１９】
この構成により、請求項１乃至４の内いずれか１項の作用に加え、以下のような作用を有する。
（１）筒状本体の内部の生成されたコンポストがコンポスト流通孔を介して外部の土に吸収されるので、プランタ等の栽培容器の内部にコンポスト生成容器を設置した場合、コンポストを直接栽培容器内の土に吸収させることができる。
【００２０】
本発明の請求項６に記載の発明は、請求項５に記載のコンポスト生成容器であって、前記筒状本体の前記下部開口部に覆設された底板部を備えた構成を有している。
【００２１】
この構成により、請求項５の作用に加え、以下のような作用を有する。
（１）筒状本体の下部開口部を底板部で塞ぐことで、生成したコンポストをコンポスト流通孔からコンポスト生成容器の側方の土に確実に吸収させることができる。
（２）投入した原料物に含まれる水分や分解時に生じた滲出液が筒状本体の底部から排出されず、周壁部等に形成された排水孔等を介して土に排出され吸収されるので、コンポスト生成容器をプランタ等の栽培容器内に設置した場合等に、水分等が栽培容器の底部に溜まることを防ぎ、悪臭を防止できる。
【発明の効果】
【００２２】
以上説明したように本発明によれば、以下のような有利な効果が得られる。
請求項１に記載の発明によれば、
（１）蓋体を筒状本体の上部に覆設し、土切り部を地表面に突き刺すことにより、筒状本体の内部は外気と遮断されるため、投入した生ごみ等から発生する悪臭の漏出を確実に防止でき、周囲の人が腐食臭等によって不快な気分になることを防止できると共に小蝿や水虻等の害虫の誘引を防止でき、大量の害虫が群がったり容器内の生ごみ等から大量発生したりすることを防止でき、家庭の庭等においても衛生的に使用できると共に景観を損なうことがないコンポスト生成容器を提供することができる。
【００２３】
請求項２に記載の発明によれば、請求項１の効果に加え、
（１）地表位置合わせ線が地表面に一致するように筒状本体の位置を調整することで、筒状本体を埋め込むための穴を深く掘りすぎたり地上露出部の高さが高くなりすぎて土切り部が地表面に届かなかったりすることがなく、設置作業を円滑に行うことができる設置作業性に優れたコンポスト生成容器を提供することができる。
【００２４】
請求項３に記載の発明によれば、請求項２の効果に加え、
（１）蓋体の周面部の高さが筒状本体の地上露出部の高さと同一又はそれ以上の高さに形成されているので、土切り部を確実に地表面に突き刺すことができ、悪臭の漏出を確実に防ぐことができるコンポスト生成容器を提供することができる。
【００２５】
請求項４に記載の発明によれば、請求項１乃至３の内いずれか１項の効果に加え、
（１）筒状本体及び／又は蓋体が下方に向けて拡開した形状に形成されているので安定性に優れると共に、蓋体を筒状本体に装着し易く取り扱い性に優れたコンポスト生成容器を提供することができる。
【００２６】
請求項５に記載の発明によれば、請求項１乃至４の内いずれか１項の効果に加え、
（１）筒状本体の内部の生成されたコンポストがコンポスト流通孔を介して外部の土に直接吸収されるので、生成したコンポストを取り出す必要がなく取り扱い性に優れたコンポスト生成容器を提供することができる。
【００２７】
請求項６に記載の発明によれば、請求項５の効果に加え、
（１）筒状本体の下部開口部を底板部で塞ぐことで、生成したコンポストをコンポスト流通孔からコンポスト生成容器の側方の土に確実に吸収させることができ、家庭菜園等の土壌やプランタ等の栽培容器内の土を肥沃に改良することができるコンポスト生成容器を提供することができる。
（２）コンポスト生成容器を栽培容器内に設置した場合等に、容器内の水分等が排出孔から排出されるので、水分等が栽培容器の底部に溜まったり漏出したりすることを防ぎ、悪臭を防止し、小蝿や水虻等の害虫の誘引を防止し室内等に設置しても衛生的に使用できるコンポスト生成容器を提供することができる。
【発明を実施するための最良の形態】
【００２８】
以下、本発明の一実施の形態について、図１乃至図４を用いて説明する。
（実施の形態１）
図１は本実施の形態１におけるコンポスト生成容器の全体斜視図であり、図２は本実施の形態１におけるコンポスト生成容器の要部側面断面図である。
図中、１は本実施の形態１におけるコンポスト生成容器、２は下端部に下部開口部３が形成され上端部に上部投入部４が形成された筒状本体であり、円筒状に形成されると共に下方に向けて拡開した形状に形成されている。５は筒状本体２の周壁部、６は周壁部５の下端部に形設された本体フランジ部、７は筒状本体２の下部側を土に埋設したときに土の中に埋まる部分である埋設部、８は筒状本体２の下部側を土に埋設したときに地上に露出する部分である地上露出部、９は埋設部７と地上露出部８の境界線上に形成された地表位置合わせ線、１０は上面部１１と筒状の周面部１２とを有する略釣鐘状に形成され筒状本体２の上部に着脱自在に覆設される蓋体であり、周面部１２は筒状本体２と略同形状の円筒状に形成され同様に下方に向けて拡開している。１３は周面部１２の下端部の全周に渡って配設された土切り部、１３ａは土切り部１３の下縁部に形成された鋸刃状部、１４は周面部１２の下端部に外側に突出して形設された接地ストッパ部、１５は蓋体１０の上面部１１に螺子止め等により固定或いは蓋体１０に一体成形された把手部である。
【００２９】
ここで、筒状本体２及び蓋体１０はポリプロピレン等の合成樹脂を用いて射出成形等により成形されている。本体フランジ部６や接地ストッパ部１４を筒状本体２や蓋体１０に一体成形されている。土切り部１３は一側部に沿って鋸刃状部１３ａが形成された撓み性を有する帯状の金属板や合成樹脂板を周面部１２の下端部の内周壁に沿って全周に渡って螺着や接着等により止着して形成するか、蓋体１０と一体に成形して形成される。
筒状本体２の大きさは、本実施の形態１においては、上端部の内径が１０ｃｍ〜３０ｃｍ、下端部の内径が１５ｃｍ〜３５ｃｍ、高さが１５ｃｍ〜４０ｃｍ、容量が１Ｌ〜３０Ｌ程度の小型に形成されているので、設置場所を選ばず、家庭の庭やプランタ等の栽培容器等にも場所を取らず且つ景観を損なうことなく設置できる。
また、図２に示すように、蓋体１０の周面部１２の高さＨ１は筒状本体２の地上露出部８の高さＨ２より高くなるように形成されているので、土切り部１３を確実に地表面Ａに突き刺すことができる。また、土切り部１３の鋸刃状部１３ａには多数の尖鋭状の山形歯が形成されているので、乾いた地面や硬い地面にも容易に突き刺すことができる。
【００３０】
以上のように構成された本実施の形態１におけるコンポスト生成容器１について、以下その使用方法を図１及び図２を用いて説明する。
コンポスト生成容器１を家庭の庭等の地面に設置するには、まず、地面に埋設部７の高さと略同一の深さで筒状本体２の下端部の外径より少し大きい径の穴を掘る。次に、掘った穴に筒状本体２の下部側を挿入し、穴と筒状本体２の外壁との間の隙間を埋める。このとき、筒状本体２の周壁部５に形成された地表位置合わせ線９が地表面Ａに一致するように筒状本体２の位置を調整する。また、本体フランジ部６の上部が隙間を埋めた土Ｚで押えられているので、歩行する人の足が筒状本体２に当たった場合等でも傾いたり倒れたりすることなく安定して設置される。
【００３１】
コンポスト生成容器１を使用するには、上部投入部４から筒状本体２の内部に生ごみ、食物等の残渣、落ち葉、剪定屑、刈り取った雑草等の原料物Ｘを投入し、蓋体１０を筒状本体２の上部に覆設し、接地ストッパ部１４が地表面Ａに接地するまで土切り部１３を地表面Ａに突き刺す。これにより、原料物Ｘの投入時を除いて筒状本体２の内部は密閉され外気と遮断されるので、投入された原料物Ｘから発生する悪臭が周囲に漏出することはなく、且つ、筒状本体２の内部を嫌気性菌の生育に適した状態に保つことができる。
この状態で所定期間、たとえば数週間から数ヶ月放置することにより、筒状本体２の内部の原料物Ｘは土Ｚ中の嫌気性菌等の微生物の働きにより分解されコンポストＹとなり、下部開口部３から土Ｚに吸収される。原料物Ｘ中の水分や嫌気性分解過程での液状化により生じた滲出液の一部も下部開口部３から土Ｚに排出され土壌を活性化させる。なお、滲出液の排出等により原料物Ｘが減容化されるので、原料物Ｘを追加投入できる。追加投入された原料物Ｘは順次コンポストＹの上部に堆積し同様に分解される。筒状本体２の内部がコンポストＹで満たされた場合は、筒状本体２を地面から引き抜き、生成されたコンポストＹを花壇や家庭菜園、プランタ等で使用する。引き抜いた筒状本体２は別の場所に設置して使用することができる。
【００３２】
以上のように本実施の形態１におけるコンポスト生成容器１は構成されているので、以下のような作用を有する。
（１）地面等に掘った穴に筒状本体２の下部側を埋設し、上部投入部４から筒状本体２の内部に原料物Ｘを投入した後、蓋体１０を筒状本体２の上部に覆設し、土切り部１３を地表面Ａに突き刺すことにより、筒状本体２の内部は外気と遮断されるため、投入した原料物Ｘから発生する悪臭の漏出を確実に防止でき、小蝿や水虻等の害虫の誘引を防止できる。
（２）コンポスト生成容器１が小型に形成されているので、容器１を埋め込むための穴は小さいものでよく、女性や子供等の非力な者でもスコップ等を用いて簡単に掘ることができ、また、筒状本体２内がコンポストＹで満たされた場合等の容器１の移設も容易で簡易性に優れると共に、家庭の庭等にも衛生的に且つ景観を損なうことなく設置でき、例えば南向きで日当たりが良い地面や排水の良い地面等を自由に選択して設置できるので、コンポスト化の速度が向上すると共に良質なコンポストを生成することができる。
（３）筒状本体２の下部側を地面等に埋設する際、作業者は地表位置合わせ線９が地表面Ａに一致するように筒状本体２の位置を調整することで地上露出部８の高さを常に一定にすることができ、筒状本体２を埋め込むための穴を深く掘りすぎたり地上露出部８の高さが高くなりすぎて土切り部１３が地表面に届かなかったりすることがなく、設置作業を円滑に行うことができる。
（４）筒状本体２及び蓋体１０が下方に向けて拡開した形状に形成されているので、地面等に設置した場合の安定性に優れる。
（５）蓋体１０の下端部の開口の内径が筒状本体２の上端部の外径より十分大きく形成されているので蓋体１０を筒状本体２に装着し易く取り扱い性に優れる。
（６）筒状本体２の下端部に本体フランジ部６を備えているので、筒状本体２の下部側を地面に埋め込んだ際の安定性に優れ、また、周壁部５の外側面に沿って臭気が地表面Ａに拡散するのを防止できると共に、臭気成分の土壌細菌による分解を促進させ、悪臭の漏出を確実に防止できる。
（７）蓋体１０の下端部に接地ストッパ部１４を備えているので、蓋体１０を筒状本体２に装着する際に、接地ストッパ部１４が地表面Ａに接地するまで土切り部１３を突き刺すことで、土切り部１３の突き刺し長さを常に好適な長さとすることができ、深く刺し込み過ぎて抜け難くなったり刺し込みが浅くて悪臭が漏出したりすることを防止できる。また、接地ストッパ部１４により、降雨時等に土切り部１３の周囲に泥等が溜まるのを防止し、泥等が固化して土切り部１３が抜け難くなるのを防止できる。
（８）土切り部１３の下縁部に鋸刃状部１３ａが形成されているので、乾いた地面や硬い地面にも容易に突き刺すことができ、密閉性を高めることができると共に、蓋体１０を筒状本体２から取り外す際には、蓋体１０を円周方向に緩く回転させるだけで周面部１２の下端部に強固にまとわりついた土Ｚを切ることができ、長期間放置した後であっても容易に蓋体１０を取り外すことができる。
【００３３】
（実施の形態２）
図３は本実施の形態２におけるコンポスト生成容器の一部破断全体斜視図であり、図４は本実施の形態２におけるコンポスト生成容器の要部側面断面図である。
図中、２は筒状本体、３は下部開口部、４は上部投入部、５は周壁部、７は埋設部、８は地上露出部、１１は上面部、１２は周面部、１３は土切り部、１４は接地ストッパ部、１５は把手部であり、これらは実施の形態１において説明したものと同様のものであるので同一の符号を付けて説明を省略する。１′は本実施の形態２におけるコンポスト生成容器、２′は筒状本体、１０′は蓋体、２１ａ，２１ｂは筒状本体２′の周壁部５の埋設部７に形成された長孔状及び円形状のコンポスト流通孔、２１ｃは筒状本体２′の周壁部５の下端部近傍に形成された排水孔、２２は筒状本体２′の下部開口部３に覆設された底板部、２３は栽培容器としてのプランタ、２４はプランタ２３の中敷部、２４ａは中敷部２４の下面に突設された複数の脚部である。本実施の形態２におけるコンポスト生成容器１′が実施の形態１と異なる点は、コンポスト流通孔２１ａ，２１ｂ及び排水孔２１ｃと底板部２２を備えた点である。
【００３４】
ここで、図４に示すように、蓋体１０′の周面部１２の高さＨ３は、プランタ２３に設置するため実施の形態１で説明した周面部の高さＨ１に比べ短く形成されているが、実施の形態１と同様に筒状本体２′の地上露出部８の高さＨ４より高くなるように形成されている。これにより、土切り部１３を確実にプランタ２３内の土の表面Ｂに突き刺すことができる。
コンポスト流通孔２１ａ，２１ｂは、筒状本体２′の埋設部７に長孔状の孔２１ａと円形状の孔２１ｂとが交互に全周に渡って周設されている。複数の排水孔２１ｃは周壁部５の下端部近傍の所定高さ、例えば０．５ｃｍ〜２ｃｍ程度の高さに略等間隔で周設されている。
底板部２２は筒状本体２′の下端部に下部開口部３を水密に覆うように耐水性の接着等により固着されるか、射出成形等により筒状本体２′と一体に成形され形成されている。また、底板部２２の外周部は筒状本体２′の下端部から外側に１ｃｍ〜３ｃｍ程度突出するように下部開口部３より大きく形成され、筒状本体２′の安定性を向上させている。
【００３５】
以上のように構成された本実施の形態２におけるコンポスト生成容器１′について、以下その使用方法を図３及び図４を用いて説明する。
コンポスト生成容器１′をプランタ２３の内部に設置するには、まず、土Ｚを投入していないプランタ２３を準備し、中敷部２４をプランタ２３の底部に敷設する。次に、中敷部２４上に筒状本体２′を載置し、プランタ２３の内部に所定量の土Ｚを投入し筒状本体２′の周囲を埋める。
【００３６】
コンポスト生成容器１′への原料物Ｘの投入、及び蓋体１０′の装着、並びにコンポストＹの生成については、実施の形態１で説明したものと同様であるので、説明を省略する。生成されたコンポストＹはコンポスト流通孔２１ａ、２１ｂを介して土Ｚに吸収される。原料物Ｘ中の水分や嫌気性分解過程での液状化により生じた滲出液の一部は排水孔２１ｃから土Ｚに排出され吸収される。筒状本体２の内部がコンポストＹで満たされると、上部開口部４からコンポストＹを取り出し、花壇や家庭菜園、他のプランタ等で使用することができる。
【００３７】
以上のように本実施の形態２におけるコンポスト生成容器１′は構成されているので、実施の形態１の作用に加え、以下のような作用を有する。
（１）コンポスト流通孔２１ａ，２１ｂ及び底板部２２を備えているので、筒状本体２の内部の生成されたコンポストＹがコンポスト流通孔２１ａ，２１ｂを介して直接プランタ２３内の土Ｚに吸収され、コンポスト生成容器１′をプランタ２３内に設置するだけで自動で給肥でき使用性に優れる。
（２）排水孔２１ｃが筒状本体２の周壁部５に形成されると共に下部開口部３が底板部２２により塞がれているので、分解時に生じた滲出液や投入した原料物Ｘに含まれる水分が排水孔２１ｃから側方の土Ｚに排出され吸収され、水分等がプランタ２３の底部に溜まったり外部に漏出したりすることを防ぎ、悪臭を防止し、小蝿や水虻等の害虫の誘引を防止し室内等に設置しても衛生的に使用できる。
【産業上の利用可能性】
【００３８】
以上説明したように、本発明は、生ごみ、食物等の残渣、落ち葉等を微生物による分解によってコンポスト化するためのコンポスト生成容器に関し、特に本発明によれば、悪臭の漏出及び小蝿等の害虫の誘引を防止し衛生性に優れると共に維持管理及び移設が容易で且つ家庭の庭等に設置しても景観を損なうことがなく、また、庭木の根元等にも簡単に設置し給肥できるコンポスト生成容器を提供することができる。
【図面の簡単な説明】
【００３９】
【図１】実施の形態１におけるコンポスト生成容器の全体斜視図
【図２】実施の形態１におけるコンポスト生成容器の要部側面断面図
【図３】実施の形態２におけるコンポスト生成容器の一部破断全体斜視図
【図４】実施の形態２におけるコンポスト生成容器の要部側面断面図
【符号の説明】
【００４０】
１，１′  コンポスト生成容器
２，２′  筒状本体
３  下部開口部
４  上部投入部
５  周壁部
６  本体フランジ部
７  埋設部
８  地上露出部
９  地表位置合わせ線
１０，１０′  蓋体
１１  上面部
１２  周面部
１３  土切り部
１３ａ  鋸刃状部
１４  接地ストッパ部
１５  把手部
２１ａ，２１ｂ  コンポスト流通孔
２１ｃ  排水孔
２２  底板部
２３  プランタ
２４  中敷部
２４ａ  脚部
Ｘ  原料物
Ｙ  コンポスト
Ｚ  土
【図１】
2006206348.tif 000003
【図２】
2006206348.tif 000004
【図３】
2006206348.tif 000005
【図４】
2006206348.tif 000006